(57)【要約】【課題】  カラーフィルターの色濃度を濃くするとその分だけ表示が暗くなる。そこで構造の変化を伴わない簡便な方法で表示を明るくしたい。【解決手段】  液晶表示パネル外周部に反射機能を持たせる。そのことによって外周側面部を通って出射され視認されることの無い光が外周部の反射機能によって反射され、視認可能な光となる。そのため従来よりも明るい表示が実現できる。【選択図】  図１
2006235409.tif 000002
【特許請求の範囲】
【請求項１】
入射した光を反射する反射膜が形成された透明基板と、
前記透明基板と対向するように設けられた対向透明基板と、
前記透明基板と前記対向透明基板の間に設けられた液晶と、を備えるとともに、
前記対向透明基板の外周端面に第二の反射膜が設けられたことを特徴とする液晶表示装置。
【請求項２】
前記反射膜と前記対向透明基板の間にカラーフィルター層が設けられ、前記カラーフィルター層の外周端面に第三の反射膜が設けられたことを特徴とする請求項１に記載の液晶表示装置。
【請求項３】
前記反射膜が入射した光の一部を透過する半透過反射膜であり、前記透明基板の外側に設けられたバックライトを備えるとともに、
前記透明基板と前記反射膜の外周端面に第四の反射膜が設けられたことを特徴とする請求項１または２に記載の液晶表示装置。
【請求項４】
入射した光を反射する反射膜が形成された透明基板と、前記透明基板と対向するように設けられた対向透明基板と、前記透明基板と前記対向透明基板の間に設けられた液晶を有する液晶表示パネルを備えるとともに、
前記液晶パネルの底面と側面を覆うように第二の反射膜が設けられたことを特徴とする液晶表示装置。
【請求項５】
前記第二の反射膜が前記液晶パネルに直接形成されたことを特徴とする請求項4に記載の液晶表示装置。
【請求項６】
前記第二の反射膜が前記液晶パネルを保持するフレームの内面に形成されたことを特徴とする請求項4に記載の液晶表示装置。
【請求項７】
前記反射膜と前記対向透明基板の間にカラーフィルター層が設けられたことを特徴とする請求項５または6に記載の液晶表示装置。
【請求項８】
前記反射膜が入射した光の一部を透過する半透過反射膜であり、前記透明基板の背後側に設けられたバックライトを備えるとともに、
前記透明基板と前記反射膜の外周端面にも前記第二の反射膜が設けられたことを特徴とする請求項７に記載の液晶表示装置。
【発明の詳細な説明】
【技術分野】
【０００１】
本発明は、携帯電話等の電子機器に使用される液晶表示装置に関する。詳しくは、表示の明るさの向上、光の利用効率に関する。
【背景技術】
【０００２】
従来の液晶表示装置においては、明所でも暗所でも表示が観察できるように、自然光や室内光等の外光を利用する反射型表示と、バックライトからの照明光を利用する透過型表示との両方の表示モードを行うものがある。このような液晶表示装置の構成としては、液晶パネルの内面に半透過反射膜を備え、背面にバックライトを備えた構成が一般的に知られており、半透過型の表示装置と称されている。また、半透過反射膜より液晶層側にカラーフィルターを形成することでバックライト使用時と外光使用時のどちらでもカラー表示を可能にしているものが知られている。そして半透過反射膜として誘電体多層膜を用い、液晶パネル内部に形成した構成が知られている（例えば、特許文献１参照）。また、半透過反射板として画素内に透過用の開口を設けた金属反射膜を用いた例もある（例えば、特許文献２参照）。しかし、この構成では、バックライト使用時は光がカラーフィルターを１回通過するが、外光使用時はカラーフィルターを２回通過することになるため、光の損失が光源使用時よりも外光使用時の方が多くなる。それを回避するために反射部上に形成されたカラーフィルターには、開口部を設けたりしていた（例えば、特許文献３参照）。
【特許文献１】特開２０００−２８４２７６号公報（第２頁、第１−３図）
【特許文献２】特開２００１−３３７７８号公報（第２−３頁、第１図、第２図）
【特許文献３】特開２００３−１２１８３３号公報（第２−３頁、第２−６図）
【発明の開示】
【発明が解決しようとする課題】
【０００３】
解決しようとする問題点は、バックライト使用時の色を濃くするためにカラーフィルターの色を濃くするとその分だけ表示が暗くなってしまうということである。その際に構成を変更するような解決方法、すなわち特許文献３のような、反射部上に形成されたカラーフィルターに、開口部を設けた構成では、新規のフォトマスクが必要となるなど、工程やコスト等の面で負担が大きい。また、半透過反射膜の構成を変更して、反射率を上げたり、反射面積を上げたりした場合、透過率や開口面積を犠牲にする必要があるうえに、工程やコスト等の面で負担が大きい。そのため、より簡便に材料のみの変更で表示を明るくしたい。
【課題を解決するための手段】
【０００４】
本発明では、液晶表示パネル外周部に反射機能を持たせる。これによって外周側面部を通って出射され視認されることの無い光が外周部の反射機能によって反射され、視認可能な光となる。そのため従来よりも明るい表示が実現できる。
【発明の効果】
【０００５】
本発明により、カラーフィルターに開口部を設けたりするようなその他の構造変化を伴わないで、より簡便に表示の明るさを得る事が可能となる。
【発明を実施するための最良の形態】
【０００６】
本発明の液晶表示装置は、入射した光を反射する反射膜が形成された透明基板と、透明基板と対向するように設けられた対向透明基板と、透明基板と対向透明基板の間に設けられた液晶を備えており、対向透明基板の外周端面に第二の反射膜が設けられている。さらに、反射膜と対向透明基板の間にはカラーフィルター層が設けられ、カラーフィルター層の外周端面にも反射膜が設けられている。また、反射膜を入射した光の一部を透過する半透過反射膜で構成し、透明基板の外側にバックライトを備えるとともに、透明基板と反射膜の外周端面にも反射膜を設けることとした。
【０００７】
あるいは、本発明の液晶表示装置は、入射した光を反射する反射膜が形成された透明基板と、透明基板と対向するように設けられた対向透明基板と、透明基板と前記対向透明基板の間に設けられた液晶層を有する液晶表示パネルを備えており、この液晶パネルの底面と側面を覆うように第二の反射膜が設けられている。ここで、第二の反射膜を液晶パネル外周端面に直接形成することとした。あるいは、液晶パネルを保持するフレームの内面に第二の反射膜を形成することとした。さらに、反射膜と対向透明基板の間にカラーフィルター層が設けられている。さらに、反射膜が入射した光の一部を透過する半透過反射膜であり、透明基板の背後側に設けられたバックライトを備えており、透明基板と反射膜の外周端面にも第二の反射膜を設ける構成とした。
【実施例１】
【０００８】
本実施例の液晶表示装置の構成を図１に模式的に示す。図示するように、この液晶表示装置は下側の基板７と、これと対向する対向基板６との間にネマティック液晶層４が設けられ、両基板を挟むように光学フィルム５を配置した構成である。下側の基板７はガラス基板１の上に開口部を持つ金属反射膜２が形成され、その上にカラーフィルター３が形成されている構造である。ガラス基板１と対向基板６は外周側端部に金属膜８が形成されている。カラーフィルター３は一画素につきＲＧＢ三色の着色部を持ち、外周部には光を反射するように金属膜８が形成されている。光学フィルム５は偏光板、位相差フィルム、光散乱層などを順次積層されたものである。また、この液晶表示装置はパッシブマトリックス方式で駆動するＳＴＮモードを用いた。
【０００９】
この構成において、液晶表示装置に入射した外光は、光学フィルム５の光散乱機能によって拡散され、ネマティック液晶層４、カラーフィルター３を通って反射膜２の非開口部でそれぞれの拡散光が正反射される。そのため、反射光はそのままカラーフィルター３、ネマティック液晶層４、光学フィルム５を通って視認されるものと、拡散光角度によっては端部に設けられた金属膜８によって反射されるものが出来る。金属膜８によって反射された光は、本来端部から視認されずに出射していた光である。したがって、金属膜８によって反射された光が視認される分、反射膜の性能すなわち開口面積を変えることなく外光下においてもバックライト使用時においても明るい表示が視認可能となる。
【実施例２】
【００１０】
本実施例の液晶表示装置の構成を図２に模式的に示す。図示するように、本実施例は、液晶表示パネル２０の背面側にバックライトユニット９が配置され、液晶表示パネル２０とバックライトユニット９はフレーム１０によって保持されている。液晶表示パネル２０は下側の基板７と、これと対向する対向基板６との間にはネマティック液晶層４が設けられ、両基板を挟むように光学フィルム６を配置した構成である。下側基板７はガラス基板１の上に開口部を持つ金属反射膜２が形成され、その上にカラーフィルター３が形成されている構造である。カラーフィルター３は一画素につきＲＧＢ三色の着色部を持つように形成されている。光学フィルム５は偏光板、位相差フィルム、光散乱層などを順次積層されたものである。また、この液晶表示装置はパッシブマトリックス方式で駆動するＳＴＮモードを用いた。この構成でフレーム１０は鏡面反射をする金属でできている。
【００１１】
この構成において、液晶表示装置に入射した外光は、光学フィルム５の光散乱機能によって拡散され、ネマティック液晶層４、カラーフィルター３を通って反射膜２の非開口部でそれぞれの拡散光が正反射される。そのため、反射光はそのままカラーフィルター３、ネマティック液晶層４、光学フィルム５を通って視認されるものと、端部を通って液晶表示パネル２０の外に出射されるものができる。そのうち端部を通って液晶表示パネル２０の外に出射された光は鏡面を持つ金属製のフレーム１０によって反射される。すると、反射された光は再び液晶表示パネル２０の中を通り、視認可能な光になる。したがって、フレーム１０によって反射された光が視認される分、金属膜８によって反射された光が視認される分、反射膜の性能すなわち開口面積を変えることなく外光下においてもバックライト使用時においても明るい表示が視認可能となる。
【００１２】
本実施例におけるフレーム１０は液晶表示パネル２０の外周を覆うもので、液晶表示パネルに接触する側の壁面が鏡面反射の機能を有していればどのような材料でも構わない。例えば、プラスチックのフレームの内面を金属めっきで鏡面に加工したものなどでも構わない。また、本実施例において用いた鏡面反射をする金属でできたフレームを用いてバックライトユニットをすべて覆った場合においては、通常バックライト導光板背面に設ける反射シートを省くことが出来るという効果もある。
【００１３】
また、上述した各実施例では、全てパッシブマトリックス方式で駆動するＳＴＮモードを用いたが、これに限らず、スイッチング素子によって画素電極を駆動するアクティブマトリクス方式の液晶パネルを用いてもよい。また、ＴＮモードやＥＣＢモードなど、どのような電気光学効果モードを用いても適応可能である。
【産業上の利用可能性】
【００１４】
環境光である外光を利用して明るい表示が視認可能となるので、携帯情報機器のような種々の環境において使用が望まれる電子機器にも適応できる。さらに本発明によれば半透過膜の性能の変更を必要としないことから、低コスト化が進む電子機器にも適応できる。
【図面の簡単な説明】
【００１５】
【図１】本発明の液晶表示装置を模式的に示す断面図である。
【図２】本発明の液晶表示装置を模式的に示す断面図である。
【符号の説明】
【００１６】
１  ガラス基板
２  半透過反射膜
３  カラーフィルター
４  ネマティック液晶層
５  光学フィルム
６  対向基板
７  下側基板
８  端面反射膜
９  バックライトユニット
１０  フレーム
２０  液晶表示パネル
【図１】
2006235409.tif 000003
【図２】
2006235409.tif 000004